(57)【特許請求の範囲】
【請求項１】
自転車フレーム（２）と、電子制御ユニット（３８）と、モータ支援レベルを提供するよう構成された駆動ユニット（１４）と、電池ユニット（２０）と、ディスプレイ・ユニット（２４）と、該ディスプレイ・ユニット（２４）用の遠隔制御ユニット（２６）と、を備え、
前記遠隔制御ユニット（２６）が、ハンドルバー・グリップ（２８）の領域内に前記ディスプレイ・ユニット（２４）から離れて位置し、
前記電子制御ユニット（３８）が、前記自転車フレーム（２）のシート・チューブ（８）内に位置し、
前記電子制御ユニット（３８）が、前記シート・チューブ（８）の下側領域内に位置し、締め付けブラケット（４２）を介して前記自転車フレーム（２）のフレーム側駆動キャリア（１２）において直接的に取り付けられる電気自転車。
【請求項２】
前記電子制御ユニット（３８）が、前記シートチューブ（８）の下側領域内に前記駆動ユニット（１４）に隣接して位置する請求項１に記載の電気自転車。
【請求項３】
前記電子制御ユニット（３８）には、前記駆動ユニット（１４）に対向する端部セクション（４６）のみにライン・コネクタ（４８）が設けられる請求項１または２に記載の電気自転車。
【請求項４】
前記電子制御ユニット（３８）の上方には、止め具（３９）が、シート・ポスト用に配設される請求項１から３のいずれか一項に記載の電気自転車。
【請求項５】
前記遠隔制御ユニット（２６）の少なくとも１本の信号線（６０）が、前記ディスプレイ・ユニット（２４）に接続され、前記ディスプレイ・ユニット（２４）の少なくとも１本の電気線（４９）が、前記電子制御ユニット（３８）に接続される請求項１から４のいずれか一項に記載の電気自転車。
【請求項６】
ブレーキ・センサ線（５６）が、前記ディスプレイ・ユニット（２４）に直接的に接続される請求項１から５のいずれか一項に記載の電気自転車。
【請求項７】
前記遠隔制御ユニット（２６）が、単一のバスケーブル（６０）によって前記ディスプレイ・ユニット（２４）に接続される請求項１から６のいずれか一項に記載の電気自転車。
【請求項８】
センサ線（５０）のそれぞれが、前記電子制御ユニット（３８）に直接的に接続される請求項１から７のいずれか一項に記載の電気自転車。
【請求項９】
通信が、ＣＡＮバス法によって実施される請求項１から８のいずれか一項に記載の電気自転車。
【発明の詳細な説明】
【技術分野】
【０００１】
本発明は、特許請求項１のプリアンブルによる電気自転車に関する。
【背景技術】
【０００２】
電動アシスト自転車やｅバイクなどの電気自転車は、使いやすく、無公害の輸送手段として大変人気がある。様々な応用分野に対して、個々に適したタイプの自転車が利用可能である。これらには、とりわけ、道路やなだらかな地形におけるレジャー時の使用または通勤に合わせて最適化された自転車（例えば、シティバイクまたはツーリングバイク）およびオフロードでの使用、特に山地形に合わせた様々な設計で開発されているｅマウンテンバイク（Ｅ−ＭＴＢ）が含まれる。電気自転車は、乗り手に大きな負担をかけることなく作動半径を増大させ、平均運転速度を増大させる可能性を提供する。              
【０００３】
駆動ユニット、電池ユニット、ディスプレイ・ユニットおよびディスプレイ・ユニット用の遠隔制御ユニットに加えて、特に機能制御のための電子制御ユニット（ＥＣＵ）を有する電気自転車が、先行技術から知られている。この場合、電子制御ユニットは、ダウン・チューブの領域内に位置する電池ユニットに割り当てられる。そのようなＥＣＵ配置の欠点は、利用できる電池セルの空間がより小さいため、利用できる作動距離が短くなることである。さらに、特に、電池セルだけでなく制御ユニットの電子構成要素も熱を発散させるので、この配置は熱問題の原因になり得る。さらに、制御ユニット用の装着オプションを有する特別な電池ハウジングが要求される。したがって、全体として、そのような電池パックは、比較的大きなスペースを必要とし、それによって快適性を低下させ得る。
【発明の概要】
【発明が解決しようとする課題】
【０００４】
このため、本発明の目的は、電動機動性を運動系およびライフスタイル志向のサイクリストの要求に合わせる新規の自転車概念を提供することである。
【課題を解決するための手段】
【０００５】
この目的は、請求項１の特徴の組み合わせを有する電気自転車によって達成される。
【０００６】
本発明に係る電気自転車は、電子制御ユニットと、駆動ユニットと、電池ユニットと、ディスプレイ・ユニットと、ディスプレイ・ユニット用の遠隔制御ユニットとを有し、遠隔制御ユニットが、ハンドルバー・グリップの領域内にディスプレイ・ユニットから離れて位置する。本発明によれば、電子制御ユニットは、自転車フレームのシート・チューブ内に位置する。その結果、フレームと設置構成要素との間の高度に統合された相互作用が達成される。自転車フレームのダウン・チューブ内に好ましくは位置する電池ユニットの設計が限定されずに、電池セルのための広い空間が利用でき、これにより長い作動距離が利用できる。電池ユニットおよび電子制御ユニットの熱デカップリングにより、高い効率性が達成される。制御ユニット用の締め付けオプションを有する特別な電池ハウジングは必要とされない。全体として、最高強度のコンパクトで均一なフレーム形状が、この変形例において達成される。したがって、本発明に係る概念は、ライフスタイルに関心を持つ、意欲的なスポーツ系の乗り手の要求をも満たす。
【０００７】
電子制御ユニットがシート・チューブの下側領域内に駆動ユニットに隣接して位置する場合、特に有利であることが判明している。その結果、電気線の長さは、最小限に低減される。電気自転車は、最適化された空間要求事項に合わせた構造的かつ審美的に最良の特徴を有する最適化されたフレーム断面を有する。
【０００８】
好ましい例示的な実施形態では、電子制御ユニットは、駆動ユニットのフレーム側駆動キャリア（モータブラケット）に取り付けられる。その結果、さらなるフレーム側締め付け要素は、必要とされない。重量の低減が達成され得る。
【０００９】
電子制御ユニットには、好ましくは、駆動ユニットに対向する端部セクションにおいてのみ線材の接続部が設けられるので、構造が簡易化され、線材の長さが最小となる。すべての線材は、好ましくは、フレームの底部において外に誘導される。
【００１０】
本発明の特に好ましい実施形態によれば、少なくとも１つの止め具、具体的には、シート・ポスト用のボトル・ホルダの締め付け要素、例えばボトル・ホルダ・ブッシュが、電子制御ユニットの上方に位置する。その結果、電子制御ユニットが長いシート・ポストによって損傷を受けることが防止される。
【００１１】
好ましくは、遠隔制御ユニットの少なくとも１つの線材が、ディスプレイ・ユニットに接続され、ディスプレイ・ユニットの少なくとも１本の電気線が、電子制御ユニットに接続される。遠隔制御ユニットとディスプレイ・ユニットとの間に１本だけのバス線が設けられる場合、特に有利であることが判明している。さらに、ディスプレイ・ユニットと電子制御ユニットとの間に１本だけのバス線が設けられる場合、特に有利である。したがって、敷設されるケーブルの数ひいては重量および組み立てコストが、最小限に抑えられる。
【００１２】
ブレーキ信号線が、ディスプレイ・ユニットに直接的に接続され、ＥＣＵには直接的に接続されない場合、特に有利である。その結果、電子制御ユニットとディスプレイとの間には、１本の電気線のみが必要とされる。線材の数が低減される。ブレーキがかけられたとき、ブレーキ灯が起動される。
【００１３】
したがって、遠隔制御ユニットが、複数の信号線を含む単一のバスケーブルによってディスプレイ・ユニットに接続されると好適である。
【００１４】
本発明の特に好ましい実施形態によれば、さらなるセンサ線が、電子制御ユニットに直接的にそれぞれ接続される。この場合、線材の数も低減される。具体的には、以下が設けられてよい：サイドスタンドのセンサ（スタンドが折り畳まれているときの安全停止）、ギアリングのセンサ、加速度センサ（３Ｄジャイロおよび加速度計）、折り畳み自転車における自転車の折り畳みを検出するためのセンサ、圧力センサおよび温度センサ。
【００１５】
通信は、好ましくは、ＣＡＮバス法、特に好ましくはＣＡＮオープン法によって実施される。ＣＡＮ変換装置が、適合要求事項のために設けられる。
【００１６】
本発明の特に好ましい実施形態では、ディスプレイ・ユニット用の遠隔制御ユニットは、ハンドルバー・グリップの領域内にディスプレイ・ユニットから離れて位置し、支援レベルの選択のための支援選択キーを有し、ディスプレイ・ユニット上に示されるメニュー項目のメニュー・ナビゲーションおよび選択のための少なくとも１つの入力デバイスを有する。
【００１７】
入力デバイスおよび支援選択キーが共通線に沿って位置する場合、特に有利であることが判明している。共通線は、人間工学的に弧状に多次元的に湾曲することができる。
【００１８】
入力デバイスおよびキーは、好ましくは、これらが乗り手の親指によって人間工学的に動作可能なように上下に位置する。支援選択キーおよび入力デバイスを操作するために、安全に係わる乗り手の手の再配置は必要とされない。
【００１９】
本発明の特に好ましい実施形態では、入力デバイスは、ジョイスティックとして構成される。その結果、ディスプレイ・ユニット上に示されるメニュー項目のメニュー・ナビゲーションおよび選択は、好ましくは乗り手の親指によって、直感的に人間工学的に実施することができる。
【００２０】
ジョイスティックは、好ましくは、４方向（上方向および下方向、左および右）すべてに移動可能であり、メニュー項目の選択／選択は、ジョイスティックにかかる圧力によって実施される（圧力機能）。メニュー項目のメニュー・ナビゲーションおよび選択は、多機能ジョイスティックを用いて実施されるので、さらなる操作要素は必要とされない。このため、遠隔制御ユニットは、かなりコンパクトで見た目が美しく構成される。ジョイスティックは、具体的には、曲線状コーナを有する矩形のバックライト・シンボルを有していてもよい。
【００２１】
支援選択キーが互いに傾斜するように位置する場合、特に有利であることが判明している。この場合、支援レベルの選択は、乗り手の親指によって実施されてもよい。支援選択キーは、好ましくは凹面セクションを形成する。親指は、互いに上下に位置するキー間に載せることができ、それにより、操作が直感的に実施され、支援レベルを増大させるための支援選択キーは、好ましくは、進行方向の前方に位置し、支援レベルを低減させるための支援選択キーは、進行方向の後方に位置する。
【００２２】
さらに、支援選択キーが、乗り手の手に向けて傾斜することが好ましい。操作は、好ましくは乗り手の親指によって人間工学的に実施され得る。
【００２３】
支援レベルを増大させるための支援選択キーは、好ましくは、プラスシンボルで示され、支援レベルを低減させるための支援選択キーは、マイナスシンボルで示される。このシンボルは、好ましくはバックライト付きであり、このため、視界が悪い状態でも認識可能である。
【００２４】
製造技術および操作に関して、支援選択キーが、乗り手の手を向く自由作動セクションと、弾性的に装着された端部セクションとを有することが、有利であると判明している。
【００２５】
本発明の好ましい実施形態によれば、光スイッチが、支援選択キー間の領域内で横方向にずらされる。好ましくは、光スイッチは、乗り手の手から離れる方向に支援選択キーの隣に位置する。光スイッチが支援選択キー間の中央で横方向にずらされて位置する場合、特に有利であることが判明している。
【００２６】
好ましくは、光スイッチは、３つの機能を有し、その各々は、キーを押さえることによって順次起動される：キーを（２秒以上）押さえ続ける、点灯／消灯；キーを押す、すれ違いビーム；キーを２回押す、明るくする。その結果、有利には、点灯／低光／高光／消灯のための１つのボタンが存在する。光スイッチは、バックライト光シンボルを有していてもよい。
【００２７】
ギア付きモータの電子ギアリングを有する電気自転車では、遠隔制御ユニットは、好ましくは、枢動軸に沿って、ギア選択のための中央に装着されたロッカ・スイッチを有する。本発明によれば、ロッカ・スイッチが２つの操作表面を有する場合、有利であり、第１の操作表面が、乗り手の手を向く側に位置し、第２の操作表面が、乗り手の手から外方を向く側に位置する。好ましくは、入力デバイス、支援選択キー、およびロッカ・スイッチは、共通線に沿って位置する。キーは、好ましくは、これらが乗り手の親指によって人間工学的に動作可能なように上下に位置する。支援選択キーおよびロッカ・スイッチを操作するために、安全に係わる乗り手の手の再配置は、必要とされない。
【００２８】
遠隔制御ユニットの好ましい実施形態では、遠隔制御ユニットは、上側部分と、モジュール式に交換可能な下側部分とを有し、ロッカ・スイッチは、下側部分に割り当てられる。このため、遠隔制御ユニットは、電気ギア付きモータを有する自転車および有さない自転車にモジュール式に適合可能である。この目的のために、クランプ半体として設計された下側部分は、ロッカ・スイッチを有してまたは有さずに装着される。上側部分および下側部分は、好ましくは、可撓性バンドによって電気的に接続される。
【００２９】
ロッカ・スイッチは、好ましくは、ほぼ中央に位置する自動キーを有する。自動キーは、好ましくは、動かず、自動ギア選択を起動する。
【００３０】
ハンドルバー・グリップ軸の方向で見ると、入力デバイス、支援選択キー、およびロッカ・スイッチは、好ましくは、凸状に弓状の共通線に沿って延び、その曲率曲線は、乗り手の親指の移動範囲に人間工学的に適合される。
【００３１】
好ましくは、遠隔制御ユニットは、振動モータを有する。例えば、最も高い支援レベルに到達すると、短い振動によって合図され得る。さらに、切り替え操作が、短い振動によって提案され得る。好ましくは、ディスプレイ・ユニット上でギア提案が行われ、例えばディスプレイ上の上方向矢印はシフトアップを提案し、振動は、ディスプレイ・ユニットが新しい情報を表示していることを乗り手に通知する。
【００３２】
本発明は、すべてのタイプの自転車、特にマウンテンバイク（ハードテイル設計またはフルサスペンション設計の両方）に広く使用可能であるが、他の自転車、例えばロードバイクフレーム、したがって最終的には結果として、ツーリングバイク、シティバイク、もしくはクロスバイク、または他の現代型の自転車に使用することもできる。そのコンパクトで魅力的な設計により、クラシック自転車および電気自転車の利点を大幅に組み合わせたバイクの構造を可能にする。
【００３３】
さらに好ましい実施形態は、従属請求項の主題である。
【００３４】
続いて、本発明の好ましい実施形態が、添付の図を参照してより詳細に説明される。この目的のために、以下の図が詳細に示される。
【図面の簡単な説明】
【００３５】
【図１】本発明に係る電気自転車の側面図である。
【図２】ハンドルバーの領域内の図１からの電気自転車の詳細図である。
【図３】図１からの電気自転車の概略側面図である。
【図４】駆動領域の詳細図である。
【図５】電子制御ユニットの詳細図である。
【発明を実施するための形態】
【００３６】
図１は、本発明による電気自転車１の側面図を示し、この電気自転車は、ダイアモンドフレームとして構成された例となる自転車フレーム２を有し、ダウン・チューブ４と、トップ・チューブ６と、シート・チューブ８と、ヘッド・チューブ１０と、駆動ユニット１４用の駆動キャリア１２と、シート支柱１６および下側支柱１８と、ダウン・チューブ４に位置する電池ユニット２０とを有する。
【００３７】
具体的には、ハンドルバー２２の領域内の図１からの電気自転車１の詳細な図を示す図２からわかるように、ハンドルバー２２上の中央に位置するディスプレイ・ユニット２４および遠隔制御ユニット２６が設けられる。遠隔制御ユニット２６は、左ハンドルバー・レバー２８の領域内にディスプレイ・ユニット２４から離れて位置し、モータ支援レベルの選択のための２つの支援選択キー３０、３２と、ディスプレイ・ユニット２４上に表示されたメニュー項目のメニュー・ナビゲーションおよび選択のためのジョイスティック３４として設計された入力デバイスとを有する。さらに、遠隔制御ユニット２６は、光スイッチ３６を有する。
【００３８】
図１の電気自転車１の概略側面図を示す図３に示されるように、電気自転車１は、電子制御ユニット３８（ＥＣＵ）を有する。電子制御ユニット３８は、自転車フレーム２のシート・チューブ８内に位置する。そのようにすると、自転車フレーム２と設置構成要素との間に高度に統合された相互作用が達成される。電池ユニット２０の設計が限定されず、より広い電池セルの空間、ひいては長い作動距離が利用できる。電池ユニットおよび電子制御ユニットの熱デカップリングにより、高い効率性が達成される。制御ユニット３８用の締め付けオプションを有する特別な電池ハウジングは、必要とされない。
【００３９】
電子制御ユニット３８は、駆動キャリア１２上のシート・チューブ８の下側セクション内に設置される。その結果、電気線の長さは最小限に低減される。その結果、電気自転車１は、最適化された空間要求事項に合わせた構造的かつ審美的に最良の特徴を有する最適化されたフレーム断面を有する。
【００４０】
この場合、電子制御ユニット３８は、図４に示される駆動領域の詳細図に具体的に示されるように、フレーム側駆動キャリア１２に取り付けられる。電子制御ユニット３８の上方には、ボトル・ホルダ・ブッシュ３９が、シート・ポスト（図示せず）用の止め具として配設される。その結果、電子制御ユニット３８が長いシート・ポストによって損傷を受けることが防止される。
【００４１】
駆動キャリア１２における制御ユニット３８の取り付けは、電子制御ユニット３８の詳細な図を示す図５に従い、ねじ４０によって制御ユニット３８の矩形ハウジングに取り付けられたＬ字形状の締め付けブラケット４２を介して実施される。駆動キャリア１２上の締め付けブラケット４２の取り付けもまた、ねじ４４によって実施される。
【００４２】
電子制御ユニット３８には、駆動ユニット１４を向く端部セクション４６のみにライン・コネクタ４８が設けられ、それにより、その構造は簡易化され、線材の長さは最小となる。すべての線材は、フレームの底部において外に誘導される。
【００４３】
図３によれば、ディスプレイ・ユニット２４の電気線４９は、電子制御ユニット３８に接続される。この場合、１本の線材しか必要とされないことが、有利である。
【００４４】
さらに、ギア付きモータのキックスタンド５２（スタンドが折り畳まれているときの安全停止）などのセンサ線５０が、電子制御ユニット３８に直接的にそれぞれ接続される。この場合、線材の数は低減される。
【００４５】
ブレーキ・レバー５４に割り当てられたセンサ線５６は、図２により、ディスプレイ・ユニット２４に直接的に接続され、それにより、ディスプレイ・ユニット２４と制御ユニット３８との間には１本だけの線材４９のみ必要とされる。
【００４６】
ＥＣＵ通信が、ＣＡＮオープン法によって実施される。ＣＡＮ変換装置が、適合要求事項のために設けられる。遠隔制御ユニット２６の信号線６０は、ディスプレイ・ユニット２４（図２を参照）に接続される。したがって、遠隔制御ユニットが、複数の信号線を含む単一のバスケーブルによってディスプレイ・ユニットに接続されると好適である。ブレーキを作動させたとき、テール・ランプ６４のブレーキ灯６２が起動される。
【００４７】
本発明は、すべてのタイプの自転車、特にマウンテンバイク（ハードテイル設計またはフルサスペンション設計の両方）に使用可能であるが、他の自転車、例えばロードバイクフレーム、したがって最終的には結果として、ツーリングバイク、シティバイク、もしくはクロスバイク、または他の現代型の自転車に使用することもできる。そのコンパクトで魅力的な設計により、クラシック自転車および電気自転車の利点を大きく組み合わせたバイクの構造を可能にする。
【００４８】
本発明の実施形態は、図に示し、上記で説明したような例には限定されないが、当業者によって複数の改変形態において可能である。
【００４９】
制御ユニット３８と、駆動ユニット１４と、電池ユニット２０と、ディスプレイ・ユニット２４と、ディスプレイ・ユニット２４用の遠隔制御ユニット２６とを有する電気自転車１が開示されており、遠隔制御ユニット２６は、ハンドルバー２８の領域内にディスプレイ・ユニット２４から離れて位置する。本発明によれば、電子制御ユニット３８は、自転車フレーム２のシート・チューブ８内に位置する。
【符号の説明】
【００５０】
１  電気自転車
２  自転車フレーム
４  ダウン・チューブ
６  トップ・チューブ
８  シート・チューブ
１０  ヘッド・チューブ
１２  駆動キャリア
１４  駆動ユニット
１６  シート支柱
１８  下側支柱
２０  電池ユニット
２２  ハンドルバー
２４  ディスプレイ・ユニット
２６  遠隔制御ユニット
２８  左ハンドルバー・グリップ
３０  支援選択キー
３２  支援選択キー
３４  ジョイスティック
３６  光スイッチ
３８  電子制御ユニット
３９  ボトル・ホルダ・ブッシュ
４０  ねじ
４２  締め付けブラケット
４４  ねじ
４６  端部セクション
４８  ライン・コネクタ
４９  電気線
５０  センサ線
５２  キックスタンド
５４  ブレーキ・レバー
５６  センサ線
５８  ＣＡＮ変換装置
６０  信号線
６２  ブレーキ灯
６４  テール・ランプ
【図１】
0006797188.tif 000002
【図２】
0006797188.tif 000003
【図３】
0006797188.tif 000004
【図４】
0006797188.tif 000005
【図５】
0006797188.tif 000006